(57)【要約】【課題】高周波ノイズの発生および電力損失を低減可能な照明用非接触給電システムを提供する。【解決手段】照明用非接触給電システム１は、光源９を有する灯具部４と、灯具部４に一端部が接続されたアーム部３と、アーム部３の他端部３ａを保持する基台部２とを備えている。この照明用非接触給電システム１では、アーム部３の他端部３ａに、送電コイル５で発生する磁界による電磁誘導にて送電コイル５から非接触で受電可能な受電コイル６と、受電コイル６で発生する誘起電圧を整流する整流回路部２０とが設けられている。また、照明用非接触給電システム１では、アーム部３に、整流回路部２０と光源９とを電気的に接続する配線２１が設けられている。【選択図】図１
2013222514.tif 000002
【特許請求の範囲】
【請求項１】
光源を有する灯具部と、前記灯具部に一端部が接続されたアーム部と、前記アーム部の他端部を保持する基台部とを備え、前記アーム部の前記他端部もしくは前記基台部に、送電コイルで発生する磁界による電磁誘導にて前記送電コイルから非接触で受電可能な受電コイルと、前記受電コイルで発生する誘起電圧を整流する整流回路部とが設けられ、前記アーム部に、前記整流回路部と前記光源とを電気的に接続する配線が設けられてなることを特徴とする照明用非接触給電システム。
【請求項２】
前記整流回路部と前記光源との間に、前記整流回路部により整流された電圧を平滑する平滑回路部が設けられてなることを特徴とする請求項１記載の照明用非接触給電システム。
【請求項３】
前記平滑回路部は、前記整流回路部側に配置されてなることを特徴とする請求項２記載の照明用非接触給電システム。
【請求項４】
前記平滑回路部と前記光源との間に、前記光源に流れる電流を所定の電流に定電流化する定電流回路部もしくは前記光源に印加される電圧を所定の電圧に定電圧化する定電圧回路部が設けられ、前記定電流回路部もしくは前記定電圧回路部が、前記灯具部に配置されてなることを特徴とする請求項２または請求項３記載の照明用非接触給電システム。
【請求項５】
前記受電コイルは、前記アーム部の前記他端部に設けられ、前記送電コイルは、前記基台部に設けられてなることを特徴とする請求項１ないし請求項４のいずれか１項に記載の照明用非接触給電システム。
【請求項６】
前記受電コイルは、前記基台部に設けられ、前記送電コイルは、前記基台部とは別体の送電装置に設けられてなることを特徴とする請求項１ないし請求項４のいずれか１項に記載の照明用非接触給電システム。
【発明の詳細な説明】
【技術分野】
【０００１】
本発明は、照明用非接触給電システムに関するものである。
【背景技術】
【０００２】
近年、照明用非接触給電システムに関するものとして、ダクト式照明システムが提案されている（特許文献１）。
【０００３】
特許文献１には、図９に示す構成を有するダクト式照明システム７０が記載されている。
【０００４】
ダクト式照明システム７０は、レール状のダクト７２を有するダクトユニット７３と、ダクト７２にスライド可能に支持される照明器具７４と、照明器具７４に内蔵された受電部７１へ電磁誘導により非接触にて給電する給電部７５とを備えている。なお、ダクトユニット７３は、建築基材８０に埋め込み配置されている。
【０００５】
また、給電部７５は、ダクト７２の開口７２ａとは反対側に配置されたケース７９に収納されている。また、給電部７５には、図示されていない１次側コイルが内蔵されている。ここにおいて、特許文献１には、ケース７９内に、商用電源からの交流電圧を整流する整流回路や、整流回路により整流された直流電圧を所定の交流電圧に変換して給電部７５の１次側コイルに印加するインバータ回路などが配置されている旨が記載されている。
【０００６】
照明器具７４は、上述の受電部７１と、光源７６と、光源７６を点灯させる点灯回路部７７と、照明器具７４の外郭をなす筐体７８とを有している。なお、特許文献１には、光源７６として、白色蛍光灯、白熱灯、高輝度放電灯、発光ダイオード、有機ＥＬなどが記載されている。
【０００７】
受電部７１には、図示されていない２次側コイルが内蔵されている。これにより、受電部７１は、給電部７５の１次側コイルとの電磁結合により電力を受電することが可能となる。
【０００８】
点灯回路部７７は、リード線７９により受電部７１と接続されている。また、点灯回路部７７は、受電部７１により受電された電力を光源７６へ出力する。
【先行技術文献】
【特許文献】
【０００９】
【特許文献１】特開２０１１−２９０６７号公報
【発明の概要】
【発明が解決しようとする課題】
【００１０】
ところで、図９に示した構成のダクト式照明システム７０では、受電部７１と点灯回路部７７とが、リード線７９により接続されている。また、このダクト式照明システム７０では、受電部７１により受電された電力が高周波電力であると推考される。これにより、ダクト式照明システム７０では、リード線７９に高周波電流が流れるものと考えられ、リード線７９から高周波ノイズが発生するという懸念がある。
【００１１】
また、図９に示した構成のダクト式照明システム７０では、リード線７９に高周波電流が流れると、リード線７９のインピーダンスにより電力損失が生じる懸念がある。
【００１２】
本発明は上記事由に鑑みて為されたものであり、その目的は、高周波ノイズの発生および電力損失を低減可能な照明用非接触給電システムを提供することにある。
【課題を解決するための手段】
【００１３】
本発明の照明用非接触給電システムは、光源を有する灯具部と、前記灯具部に一端部が接続されたアーム部と、前記アーム部の他端部を保持する基台部とを備え、前記アーム部の前記他端部もしくは前記基台部に、送電コイルで発生する磁界による電磁誘導にて前記送電コイルから非接触で受電可能な受電コイルと、前記受電コイルで発生する誘起電圧を整流する整流回路部とが設けられ、前記アーム部に、前記整流回路部と前記光源とを電気的に接続する配線が設けられてなることを特徴とする。
【００１４】
この照明用非接触給電システムにおいて、前記整流回路部と前記光源との間に、前記整流回路部により整流された電圧を平滑する平滑回路部が設けられてなることが好ましい。
【００１５】
この照明用非接触給電システムにおいて、前記平滑回路部は、前記整流回路部側に配置されてなることが好ましい。
【００１６】
この照明用非接触給電システムにおいて、前記平滑回路部と前記光源との間に、前記光源に流れる電流を所定の電流に定電流化する定電流回路部もしくは前記光源に印加される電圧を所定の電圧に定電圧化する定電圧回路部が設けられ、前記定電流回路部もしくは前記定電圧回路部が、前記灯具部に配置されてなることが好ましい。
【００１７】
この照明用非接触給電システムにおいて、前記受電コイルは、前記アーム部の前記他端部に設けられ、前記送電コイルは、前記基台部に設けられてなることが好ましい。
【００１８】
この照明用非接触給電システムにおいて、前記受電コイルは、前記基台部に設けられ、前記送電コイルは、前記基台部とは別体の送電装置に設けられてなることが好ましい。
【発明の効果】
【００１９】
本発明の照明用非接触給電システムにおいては、高周波ノイズの発生および電力損失を低減可能となる。
【図面の簡単な説明】
【００２０】
【図１】実施形態１の照明用非接触給電システムに関し、（ａ）は概略分解斜視図、（ｂ）は（ａ）の断面図である。
【図２】同上の照明用非接触給電システムに関し、（ａ）は要部回路図、（ｂ）は整流回路部により整流された電圧波形を示す説明図である。
【図３】比較例の照明用非接触給電システムに関し、（ａ）は要部回路図、（ｂ）は点灯回路に入力される電圧波形を示す説明図である。
【図４】同上の照明用非接触給電システムに関し、（ａ）は他の要部回路図、（ｂ）は平滑回路部により平滑された電圧波形を示す説明図である。
【図５】同上の照明用非接触給電システムに関し、（ａ）は別の要部回路図、（ｂ）は平滑回路部により平滑された電圧波形を示す説明図である。
【図６】同上の照明用非接触給電システムに関し、（ａ）はさらに別の要部回路図、（ｂ）は定電圧回路部に印加される電圧波形を示す説明図である。
【図７】実施形態２の照明用非接触給電システムに関し、（ａ）は概略分解斜視図、（ｂ）は（ａ）の断面図である。
【図８】実施形態３の照明用非接触給電システムに関し、（ａ）は概略分解斜視図、（ｂ）は（ａ）の断面図である。
【図９】従来例のダクト式照明システムの概略断面図である。
【発明を実施するための形態】
【００２１】
（実施形態１）
以下、本実施形態の照明用非接触給電システムについて、図１〜図６を参照しながら説明する。
【００２２】
本実施形態の照明用非接触給電システム１は、例えば、電気スタンドなどの照明器具である。この照明用非接触給電システム１は、光源９を有する灯具部４と、灯具部４に一端部が接続されたアーム部３と、アーム部３の他端部３ａを保持する基台部２とを備えている。また、照明用非接触給電システム１は、非接触給電のために、送電コイル５と受電コイル６とを備えている。
【００２３】
灯具部４は、例えば、傘状に形成されている。本実施形態では、灯具部４の材料として、例えば、金属材料や樹脂材料などを使用することができる。
【００２４】
また、灯具部４の開口部には、板状（本実施形態では、円板状）のパネル１７が配置されている。パネル１７は、透光性を有する材料（例えば、乳白色のアクリル樹脂、ガラスなど）により形成されている。本実施形態では、パネル１７の平面サイズを、灯具部４の開口部よりも若干小さく設定している。
【００２５】
パネル１７の一表面側（図１では、上面側）の周部には、複数（本実施形態では、４つ）の光源９が配置されている。
【００２６】
各光源９としては、ＬＥＤ（Light Emitting Diode）を採用している。各光源９は、パネル１７の外周に沿った仮想円の円周上において等間隔で配置されている。また、これら複数の光源９は、電線２２を介して直列接続されている。
【００２７】
なお、本実施形態の照明用非接触給電システム１では、光源９の数を、複数としているが、１つであってもよい。また、本実施形態では、各光源９の電気的な接続関係を、直列接続としているが、これに限らず、例えば、並列接続であってもよいし、直列接続と並列接続とを組み合わせた接続であってもよい。また、本実施形態では、各光源９としてＬＥＤを採用しているが、これに限らず、例えば、有機エレクトロルミネッセンス素子などを採用することもできる。
【００２８】
アーム部３は、例えば、筒状（本実施形態では、有底円筒状）に形成されている。本実施形態では、アーム部３の材料として、例えば、樹脂材料などを使用することができる。
【００２９】
アーム部３の上記一端部（図１では、上端部）は、パネル１７の中央部に着脱自在に接続される。ここにおいて、パネル１７の中央部には、灯具部４の内部とアーム部３の内部とを連通するための貫通孔１７ａが設けられている。また、アーム部３は、パネル１７の貫通孔１７ａを覆うようにして、パネル１７の中央部に接続されている。なお、本実施形態の照明用非接触給電システム１では、アーム部３をパネル１７の中央部に接続しているが、アーム部３とパネル１７との接続はこれに限るものではない。また、本実施形態では、アーム部３の形状を、円筒状としているが、これに限らず、例えば、角筒状などであってもよい。
【００３０】
基台部２は、扁平な箱状に形成されている。本実施形態では、基台部２の材料として、例えば、樹脂材料などを使用することができる。なお、本実施形態では、基台部２の平面視形状を、円形状としているが、この形状を特に限定するものではない。
【００３１】
基台部２の一面側（図１では、上面側）の中央部には、アーム部３の他端部３ａが嵌り込む第１の凹部１１が設けられている。第１の凹部１１は、有底円筒状に形成されている。また、第１の凹部１１の内径寸法は、アーム部３の外径寸法よりも若干大きく設定されている。これにより、基台部２は、アーム部３の他端部３ａを保持することが可能となる。また、基台部２は、アーム部３の他端部３ａを保持した状態で、アーム部３をこのアーム部３の周方向に回動可能となる。なお、本実施形態の照明用非接触給電システム１では、基台部２がアーム部３の他端部３ａを保持する手段として、基台部２の上記一面側の中央部に第１の凹部１１を設けているが、この手段を特に限定するものではない。
【００３２】
照明用非接触給電システム１では、高周波電流が流れる送電コイル５が、基台部２の内部に配置されている。また、照明用非接触給電システム１では、送電コイル５へ高周波電流を出力する電源装置（図示せず）が、基台部２の内部に配置されている。この電源装置は、図示しない第１の配線を介して送電コイル５と電気的に接続されている。また、電源装置は、電源コード１０と電気的に接続されている。この電源コード１０は、基台部２の側部から導出されている。また、電源コード１０には、コンセント用のプラグ１９が接続されている。また、電源コード１０には、電源装置への給電をオンオフするためのスイッチ（図示せず）が設けられている。
【００３３】
送電コイル５としては、例えば、平面視が円形状で巻軸方向が基台部２の厚み方向に沿った方向であるコイルなどを採用することができる。なお、本実施形態では、送電コイル５の巻き数を特に限定しない。
【００３４】
また、照明用非接触給電システム１では、アーム部３の他端部３ａに、送電コイル５で発生する磁界による電磁誘導にて送電コイル５から非接触で受電可能な受電コイル６が設けられている。
【００３５】
受電コイル６としては、例えば、平面視が円形状で巻軸方向が基台部２の厚み方向に沿った方向であるコイルなどを採用することができる。なお、本実施形態では、受電コイル６の巻き数を特に限定しない。
【００３６】
受電コイル６の外径寸法は、送電コイル５の外径寸法よりも小さく設定されている。また、受電コイル６の内径寸法は、送電コイル５の内径寸法よりも小さく設定されている。つまり、照明用非接触給電システム１では、受電コイル６の平面サイズが、送電コイル５の平面サイズよりも小さく設定されている。
【００３７】
また、照明用非接触給電システム１では、アーム部３の他端部３ａに、受電コイル６で発生する誘起電圧（高周波電圧）を全波整流する整流回路部２０が設けられている。
【００３８】
整流回路部２０としては、例えば、４つのダイオードにより構成されたダイオードブリッジなどを採用することができる。この整流回路部２０は、受電コイル６の両端間に接続されている（図２（ａ）参照）。また、整流回路部２０は、受電コイル６の両端間に誘起される高周波電圧を全波整流した電圧ＶＳを出力する（図２（ｂ）参照）。なお、図２（ｂ）では、整流回路部２０により全波整流された電圧ＶＳの波形を表している。
【００３９】
また、整流回路部２０は、第２の配線２１を介して、複数（本実施形態では、４つ）の光源９による直列回路と電気的に接続されている（図２（ａ）参照）。この第２の配線２１は、アーム部３の内部に配置されている（図１参照）。要するに、照明用非接触給電システム１では、アーム部３に、整流回路部２０と光源９とを電気的に接続する配線（第２の配線２１）が設けられている。
【００４０】
照明用非接触給電システム１では、電源コード１０の上記スイッチがオンされると、受電コイル６が、送電コイル５で発生する磁界による電磁誘導にて送電コイル５から非接触で受電可能となる。これにより、照明用非接触給電システム１では、整流回路部２０から出力された電圧ＶＳが複数の光源９による直列回路の両端間に印加されるので、各光源９を点灯させることが可能となる。
【００４１】
したがって、照明用非接触給電システム１では、アーム部３の他端部３ａに、受電コイル６と整流回路部２０とが設けられ、アーム部３に、整流回路部２０と光源９とを電気的に接続する第２の配線２１が設けられている。これにより、照明用非接触給電システム１では、各光源９の点灯時に、整流回路部２０が受電コイル６の両端間に誘起された高周波電圧を全波整流するので、図３に示した比較例の照明用非接触給電システムに比べて、第２の配線２１で発生する高周波ノイズを低減することが可能となる。また、照明用非接触給電システム１では、各光源９を点灯時に、第２の配線２１のインピーダンスに起因する電力損失を低減することが可能となる。なお、図３（ａ）中の点灯回路１８は、複数の光源９を点灯させるものであり、例えば、上述の整流回路部２０を用いることができる。また、図３に示した比較例の照明用非接触給電システムでは、点灯回路１８を複数の光源９側に配置してある。また、図３（ｂ）は、点灯回路１８に入力された電圧ＶＴの波形を表している。
【００４２】
送電コイル５および受電コイル６は、平面視形状を円形状としているが、この形状に限らず、例えば、矩形状、楕円形状などであってもよい。これにより、本実施形態の照明用非接触給電システム１では、アーム部３を上記周方向に回動させたときに、受電コイル６と交鎖する磁束量が変化するので、各光源９を調光することが可能となる。また、この照明用非接触給電システム１では、アーム部３をこのアーム部３の回動軸３０を中心として上記周方向に回動させると、各光源９の光出力の大きさを変化させることが可能となるので、例えば、各光源９を調光するための別体の調光用ボリュームなどが不要となり、簡単な構成で各光源９を調光することが可能となる。
【００４３】
また、照明用非接触給電システム１では、整流回路部２０と複数の光源９による直列回路との間に、整流回路部２０により全波整流された電圧ＶＳを平滑する平滑回路部２４が設けられることが好ましい（図４（ａ）参照）。要するに、照明用非接触給電システム１では、整流回路部２０と光源９との間に、整流回路部２０により整流された電圧を平滑する平滑回路部２４が設けられることが好ましい。
【００４４】
平滑回路部２４としては、例えば、電解コンデンサなどを採用することができる。この平滑回路部２４は、複数の光源９による直列回路の両端間に接続されている（図４（ａ）参照）。また、平滑回路部２４は、整流回路部２０により全波整流された電圧ＶＳを平滑して電圧ＶＦを出力する（図４（ｂ）参照）。なお、図４（ｂ）中の実線は、平滑回路部２４により平滑された電圧ＶＦの波形を表している。また、図４（ｂ）中の一点鎖線は、整流回路部２０により全波整流された電圧ＶＳの波形の一部を表している。
【００４５】
本実施形態の照明用非接触給電システム１では、整流回路部２０と光源９との間に、整流回路部２０により整流された電圧を平滑する平滑回路部２４を設けることによって、複数の光源９による直列回路の両端間に印加される電圧の変動を低減することが可能となる。これにより、照明用非接触給電システム１では、各光源９の点灯時に、この照明用非接触給電システム１の周辺で、表示装置（例えば、カメラなど）の画面がちらつくのを低減することが可能となる。
【００４６】
また、照明用非接触給電システム１では、上述の平滑回路部２４が、整流回路部２０側に配置されることが好ましい（図５（ａ）参照）。具体的に説明すると、照明用非接触給電システム１では、平滑回路部２４が、アーム部３の他端部３ａに設けられることが好ましい。なお、図５（ｂ）中の実線は、平滑回路部２４により平滑された電圧ＶＦの波形を表している。また、図５（ｂ）中の一点鎖線は、整流回路部２０により全波整流された電圧ＶＳの波形の一部を表している。
【００４７】
本実施形態の照明用非接触給電システム１では、平滑回路部２４を整流回路部２０側に配置することによって、第２の配線２１に印加される電圧の変動を低減することが可能となり、第２の配線２１で発生する高周波ノイズをさらに低減することが可能となる。また、照明用非接触給電システム１では、平滑回路部２４として電解コンデンサを用いた場合に、この電解コンデンサを整流回路部２０側に配置することによって、各光源９で発生する熱に起因する電解コンデンサの寿命の劣化を抑制することが可能となる。
【００４８】
また、照明用非接触給電システム１では、平滑回路部２４と複数の光源９による直列回路との間に、この直列回路の両端間に印加される電圧ＶＦを所定の電圧に定電圧化する定電圧回路部２５が設けられ（図６（ａ）参照）、この定電圧回路部２５が、灯具部４の内部に配置されることが好ましい。要するに、照明用非接触給電システム１では、平滑回路部２４と光源９との間に、光源９に印加される電圧を所定の電圧に定電圧化する定電圧回路部２５が設けられ、この定電圧回路部２５が、灯具部４に配置されることが好ましい。
【００４９】
定電圧回路部２５としては、例えば、ＤＣ−ＤＣコンバータなどを採用することができる。この定電圧回路部２５は、複数の光源９による直列回路の両端間に接続されている（図６（ａ）参照）。また、定電圧回路部２５は、平滑回路部２４により平滑された電圧ＶＦ（図６（ｂ）参照）を所定の電圧に定電圧化する。
【００５０】
ここにおいて、照明用非接触給電システム１では、平滑回路部２４と複数の光源９による直列回路との間に、上述の定電圧回路部２５を設けているが、これに限らず、例えば、複数の光源９に流れる電流を所定の電流に定電流化する定電流回路部を設けてもよい。この場合、定電流回路部を、灯具部４の内部に配置することが好ましい。要するに、照明用非接触給電システム１では、平滑回路部２４と光源９との間に、光源９に流れる電流を所定の電流に定電流化する定電流回路部を設け、この定電流回路部を灯具部４に配置してもよい。
【００５１】
本実施形態の照明用非接触給電システム１では、平滑回路部２４と光源９との間に、光源９に流れる電流を所定の電流に定電流化する定電流回路部もしくは光源９に印加される電圧を所定の電圧に定電圧化する定電圧回路部２５を設け、定電流回路部もしくは定電圧回路部２５を灯具部４に配置することによって、各光源９の光出力を安定させることが可能となる。これにより、照明用非接触給電システム１では、各光源９の点灯時に、この照明用非接触給電システム１の周辺で、表示装置（例えば、カメラなど）の画面がちらつくのを抑制することが可能となる。
【００５２】
なお、照明用非接触給電システム１では、照明用非接触給電システム１の一例として、電気スタンドを例示しているが、この照明器具を特に限定するものではない。
【００５３】
以上説明した本実施形態の照明用非接触給電システム１では、光源９を有する灯具部４と、灯具部４に一端部が接続されたアーム部３と、アーム部３の他端部３ａを保持する基台部２とを備えている。また、本実施形態の照明用非接触給電システム１では、アーム部３の他端部３ａに、送電コイル５で発生する磁界による電磁誘導にて送電コイル５から非接触で受電可能な受電コイル６と、受電コイル６で発生する誘起電圧を整流する整流回路部２０とが設けられている。そして、本実施形態の照明用非接触給電システム１では、アーム部３に、整流回路部２０と光源９とを電気的に接続する配線（第２の配線２１）が設けられているので、各光源９の点灯時に、高周波ノイズの発生および電力損失を低減することが可能となる。
【００５４】
（実施形態２）
本実施形態の照明用非接触給電システム１は、基本構成が実施形態１と略同じであり、図７に示すように、基台部２がアーム部３の他端部３ａを保持する構成などが実施形態１と相違する。なお、実施形態１と同様の構成要素には同一の符号を付して説明を適宜省略する。
【００５５】
基台部２の上記一面側（図７では、上面側）の中央部には、アーム部３側へ突出する凸部７が設けられている。この凸部７は、円柱状に形成されている。ここにおいて、アーム部３の他端部３ａの中央部には、基台部２の凸部７が嵌り込む第２の凹部８が設けられている。これにより、基台部２は、アーム部３の他端部３ａを保持することが可能となる。また、基台部２は、アーム部３の他端部３ａを保持した状態で、アーム部３を上記周方向に回動可能となる。なお、本実施形態の照明用非接触給電システム１では、基台部２がアーム部３の他端部３ａを保持する手段として、基台部２の上記一面側の中央部に凸部７を設けて、アーム部３の他端部３ａの中央部に第２の凹部８を設けているが、この手段を特に限定するものではない。
【００５６】
したがって、本実施形態の照明用非接触給電システム１でも、光源９を有する灯具部４と、灯具部４に一端部が接続されたアーム部３と、アーム部３の他端部３ａを保持する基台部２とを備えている。また、本実施形態の照明用非接触給電システム１でも、アーム部３の他端部３ａに、送電コイル５で発生する磁界による電磁誘導にて送電コイル５から非接触で受電可能な受電コイル６と、受電コイル６で発生する誘起電圧を整流する整流回路部２０とが設けられている。そして、本実施形態の照明用非接触給電システム１でも、アーム部３に、整流回路部２０と光源９とを電気的に接続する配線（第２の配線２１）が設けられているので、各光源９の点灯時に、高周波ノイズの発生および電力損失を低減することが可能となる。
【００５７】
（実施形態３）
本実施形態の照明用非接触給電システム１は、基本構成が実施形態１と略同じであり、図８に示すように、基台部２に受電コイル６および整流回路部２０が設けられる点などが実施形態１と相違する。なお、実施形態１と同様の構成要素には同一の符号を付して説明を適宜省略する。
【００５８】
アーム部３は、例えば、筒状（本実施形態では、円筒状）に形成されている。
【００５９】
アーム部３の他端部３ａは、基台部２の上記一面側（図８では、上面側）の中央部に接続される。ここにおいて、基台部２の上記一面側の中央部には、アーム部３の内部と基台部２の内部とを連通するための貫通孔２ａが設けられている。また、アーム部３は、基台部２の貫通孔２ａを覆うようにして、基台部２の上記一面側の中央部に接続されている。なお、本実施形態の照明用非接触給電システム１では、アーム部３を基台部２の上記一面側の中央部に接続しているが、アーム部３と基台部２との接続はこれに限るものではない。また、本実施形態では、アーム部３の形状を、円筒状としているが、これに限らず、例えば、角筒状などであってもよい。
【００６０】
基台部２の内部には、受電コイル６と整流回路部２０とが配置されている。具体的に説明すると、基台部２の内部には、受電コイル６が基台部２の他面側（図８では、下面側）に配置され、整流回路部２０が基台部２の上記一面側に配置されている。したがって、照明用非接触給電システム１では、基台部２に受電コイル６を設けているので、実施形態１および実施形態２に比べて、受電コイル６の平面サイズを大きくすることが可能となり、受電コイル６で発生する熱を減少することが可能となる。
【００６１】
ところで、本実施形態の照明用非接触給電システム１は、送電コイル５と、この送電コイル５を収納する収納部２３とを有する送電装置２６を備えている。
【００６２】
収納部２３は、扁平な箱状に形成されている。本実施形態では、収納部２３の材料として、例えば、樹脂材料などを使用することができる。また、本実施形態では、収納部２３の平面サイズが、基台部２の平面サイズと同じ大きさに設定されている。なお、本実施形態の照明用非接触給電システム１では、収納部２３の平面視形状を、円形状としているが、この形状を特に限定するものではない。
【００６３】
収納部２３の内部には、上述の送電コイル５が配置されている。要するに、本実施形態の照明用非接触給電システム１では、送電コイル５が、基台部２とは別体の送電装置２６に設けられている。また、収納部２３の内部には、送電コイル５へ高周波電流を出力する上記電源装置が収納されている。本実施形態では、電源コード１０が、収納部２３の側部から導出されている。
【００６４】
以下、本実施形態の照明用非接触給電システム１に関して、各光源９を点灯および消灯させる動作について説明する。なお、本実施形態では、電源コード１０の上記スイッチが、予めオンされているものとして説明する。
【００６５】
照明用非接触給電システム１では、基台部２が送電装置２６の一面（図８では、上面）に設置されると、受電コイル６が、送電コイル５で発生する磁界による電磁誘導にて送電コイル５から非接触で受電可能となる。これにより、照明用非接触給電システム１では、整流回路部２０から出力された電圧ＶＳが複数の光源９による直列回路に印加されるので、各光源９を点灯させることが可能となる。一方、照明用非接触給電システム１では、基台部２が送電装置２６の上記一面に設置されない場合、受電コイル６が送電コイル５から受電できなくなるので、各光源９が消灯状態となる。つまり、照明用非接触給電システム１では、基台部２が送電装置２６の上記一面に設置された状態で、基台部２を送電装置２６の上記一面から他の場所へ移動させると、各光源９を消灯させることが可能となる。
【００６６】
ここにおいて、照明用非接触給電システム１では、上述の平滑回路部２４を基台部２に設けることが好ましい。要するに、照明用非接触給電システム１では、平滑回路部２４を整流回路部２０側に配置することが好ましい。これにより、本実施形態の照明用非接触給電システム１では、第２の配線２１に印加される電圧の変動を低減することが可能となり、第２の配線２１で発生する高周波ノイズをさらに低減することが可能となる。また、本実施形態の照明用非接触給電システム１では、平滑回路部２４として電解コンデンサを用いた場合に、この電解コンデンサを整流回路部２０側に配置することによって、各光源９で発生する熱に起因する電解コンデンサの寿命の劣化を抑制することが可能となる。
【００６７】
以上説明した本実施形態の照明用非接触給電システム１では、光源９を有する灯具部４と、灯具部４に一端部が接続されたアーム部３と、アーム部３の他端部３ａを保持する基台部２とを備えている。また、本実施形態の照明用非接触給電システム１では、基台部２に、送電コイル５で発生する磁界による電磁誘導にて送電コイル５から非接触で受電可能な受電コイル６と、受電コイル６で発生する誘起電圧を整流する整流回路部２０とが設けられている。そして、本実施形態の照明用非接触給電システム１では、アーム部３に、整流回路部２０と光源９とを電気的に接続する配線（第２の配線２１）が設けられているので、各光源９の点灯時に、高周波ノイズの発生および電力損失を低減することが可能となる。
【符号の説明】
【００６８】
１  照明用非接触給電システム
２  基台部
３  アーム部
３ａ  他端部
４  灯具部
５  送電コイル
６  受電コイル
９  光源
２０  整流回路部
２１  第２の配線（配線）
２４  平滑回路部
２５  定電圧回路部
２６  送電装置
【図１】
2013222514.tif 000003
【図２】
2013222514.tif 000004
【図３】
2013222514.tif 000005
【図４】
2013222514.tif 000006
【図５】
2013222514.tif 000007
【図６】
2013222514.tif 000008
【図７】
2013222514.tif 000009
【図８】
2013222514.tif 000010
【図９】
2013222514.tif 000011